(57)【要約】【課題】非接触型ＩＣカード等のカード媒体を利用する際にそのカード媒体の特性を考慮して正常に使用可能とする状態とできるように構成することにより当該カード媒体の利便性を向上させることを可能にした定置部材を提供する。【解決手段】携帯端末の側面に配置され、カード媒体を定置させる定置部材によって、そのカード媒体が有するアンテナコイルに電磁気が生じることによって情報を読み取られることが防止された状態でそのカード媒体を保持し、さらに、そのアンテナコイルに電磁気を生じさせることによりカード媒体から情報を読み取り可能とする状態でそのカード媒体を保持しておき、これらの保持状態を変更されることによりカード媒体から情報の読み取れるようにしている。【選択図】図１
2013009277.tif 000002
【特許請求の範囲】
【請求項１】
携帯端末の側面に配置され、カード媒体を定置させる定置部材であって、
前記カード媒体が有するアンテナコイルに電磁気が生じることによって当該カード媒体から情報を読み取られることが防止された状態で当該カード媒体を保持する第１保持手段と、
前記アンテナコイルに前記電磁気を生じさせることにより前記情報を読み取り可能とする状態で前記カード媒体を保持する第２保持手段と
を備え、
前記第１保持手段と前記第２保持手段との保持状態が変更されることにより前記カード媒体から前記情報の読み取ることを特徴とする定置部材。
【請求項２】
前記カード媒体を係止する係止部材をさらに備え、
前記第２保持手段は、
前記係止部材によって前記カード媒体を係止することによって前記情報を読み取り可能とする状態で当該カード媒体を保持する請求項１記載の定置部材。
【請求項３】
前記カード媒体の保持状態を変更するカード移動部材をさらに備え、
前記カード移動部材の操作により前記第１保持手段と前記第２保持手段との保持状態が変更されることを特徴とする請求項１または２に記載の定置部材。
【請求項４】
前記第１保持手段は、
前記携帯端末の前記側面に前記カード媒体のカード面全てが重複した状態で当該カード媒体を保持する請求項１乃至３のいずれかに記載の定置部材。
【請求項５】
前記第２保持手段は、
前記カード媒体のカード面のうち前記アンテナコイルが組み込まれた一部分が前記携帯端末の側面に重複した状態で当該カード媒体を保持する請求項１乃至３のいずれかに記載の定置部材。
【請求項６】
前記第１保持手段および前記第２保持手段は、
自定置部材と前記カード媒体との相対位置が前記携帯端末に対して固定されていることを特徴とする請求項１乃至５のいずれかに記載の定置部材。
【発明の詳細な説明】
【技術分野】
【０００１】
本発明は、定置部材に関する。
【背景技術】
【０００２】
ディジタル機器の発展により携帯電話やその他の移動体通信機器が日常生活の中に欠かせないものとなっているが、非接触型ＩＣカードについてもその利用範囲が拡大している。例えば、交通機関を利用する際の電子乗車券、電子マネーや身分証明書などにその非接触型ＩＣカードが利用されている。
【０００３】
特に、携帯電話と非接触型ＩＣカードの利用場面が急増しており、これに際して、特許文献１に示す従来技術では、通勤定期などの非接触式ＩＣカードを搭載することができるとともに定期入れを不要にし、通勤時に定期入れを探すわずらわしさを解消することができ、且つＩＣカードの情報が読み取られることを防止することができる携帯機器について開示している。
【先行技術文献】
【特許文献】
【０００４】
【特許文献１】特開２００８−１７７９２６号公報
【発明の概要】
【発明が解決しようとする課題】
【０００５】
この特許文献１に示すような技術では、携帯電話および非接触型ＩＣカードが持つ形状的な特徴から、これらを同時に保持することによって利便性を向上させる技術であるが、携帯電話および非接触型ＩＣカードが有する機能を発揮する際にその機能に基づく特性が一方の特性を妨害することになってこれらが正常に動作することができないことがある。
【０００６】
そこで、本発明は、非接触型ＩＣカード等のカード媒体を利用する際にそのカード媒体の特性を考慮して正常に使用可能とする状態とできるように構成することにより当該カード媒体の利便性を向上させることを可能にした定置部材を提供することを目的とする。
【課題を解決するための手段】
【０００７】
上記目的を達成するため、請求項１の発明は、携帯端末の側面に配置され、カード媒体を定置させる定置部材であって、前記カード媒体が有するアンテナコイルに電磁気が生じることによって当該カード媒体から情報を読み取られることが防止された状態で当該カード媒体を保持する第１保持手段と、前記アンテナコイルに前記電磁気を生じさせることにより前記情報を読み取り可能とする状態で前記カード媒体を保持する第２保持手段とを備え、前記第１保持手段と前記第２保持手段との保持状態が変更されることにより前記カード媒体から前記情報の読み取ることを特徴とする。
【図面の簡単な説明】
【０００８】
【図１】本発明の実施の形態における定置部材を適用して構成した当該定置部材が設置された携帯端末の詳細な構成を示す構成図。
【図２】本発明の実施の形態における定置部材を適用して構成した当該定置部材が設置された携帯端末の詳細な構成を示す他の構成図。
【図３】カード媒体に組み込まれたアンテナコイルやＩＣチップの状態を示す図。
【図４】定置部材が有する形状の開口部を用いてカード媒体をスライドさせた状態を示す図。
【図５】レバーを用いてカード媒体をスライドさせる際の構成を示す図。
【図６】携帯端末の側面に設けられている定置部材をビスを用いて携帯端末に接合している状態を示す図。
【図７】携帯端末の側面に設けられている定置部材をビスを用いて携帯端末に接合している状態を示す他の図。
【図８】２つの定置部材を重畳させて各定置部材それぞれにカード媒体を収納することで２枚のカードを同時に定置させた状態を示す図。
【図９】２つの定置部材を重畳させて各定置部材それぞれにカード媒体を収納することで２枚のカードを同時に定置させた状態を示す他の図。
【発明を実施するための形態】
【０００９】
以下、本発明に係わる定置部材の一実施例を添付図面を参照して詳細に説明する。
【実施例】
【００１０】
図１および図２は、本発明の実施の形態における定置部材を適用して構成した当該定置部材が設置された携帯端末の詳細な構成を示す構成図である。
【００１１】
図１および図２には、携帯電話やタブレット端末などの移動体通信機器１０（以下、「携帯端末１０」という）の側面に、非接触型カード媒体３０（以下、単に「カード媒体３０」という）を収納し、そのカード媒体３０を携帯端末１０の一定の位置に定置させる定置部材２０（カードケース、カードホルダー）が設けられていた状態を示している。
【００１２】
このときの携帯端末１０は、所定の周波数帯の電波を用いてデータ通信を行うことが可能である。
【００１３】
また、カード媒体３０の一例としては、導電性材料からなるアンテナコイルとＩＣチップ（集積回路素子）を有している非接触型のものがあり、そのＩＣチップにて記憶する情報を読み取るデータ読取装置（リーダ）との間で生じた電磁気、磁界によってアンテナコイルに発生した電流に基づく電力を用いてＩＣチップを動作させることにより、カード媒体３０とリーダとの間でデータの読み書きが可能となる。
【００１４】
このカード媒体３０は、ＩＳＯ（国際標準化機構）等が制定したＩＳ（国際規格）に基づくものであって、その形状、大きさ等が規定されており、その一例を図３に示しており、この図３に示すようなカード媒体３０が定置部材２０に収納されて携帯端末１０の一定の位置に定置される。
【００１５】
図３は、カード媒体３０に組み込まれたアンテナコイル３１やＩＣチップ３２の状態を示した図である。
【００１６】
この図３に示すカード媒体３０は、ループ形状に配線されたアンテナコイル３１の端部をＩＣチップ３２に接続してそのＩＣチップ３２をループ形状内部に配置して組み込んだ状態を示している。
【００１７】
携帯端末１０の側面（背面、表面等を含むいずれかの面）に一部若しくは全部が接合した状態で設けられた定置部材２０は、このようなカード媒体３０を収納することができるものである。
【００１８】
図１および図２に示す例では、携帯端末１０の背面（側面の一面）に、その背面の有する面積よりも小さい面積の定置部材２０がその一部若しくは全部を接合することによって設置され、さらに、その定置部材２０にカード媒体３０を収納した状態におけるカード媒体３０と定置部材２０との表面積が携帯端末１０の背面の面積よりも小さい状態にあることを示しており、図１に示す定置部材２０は、カード媒体３０の出し入れを容易にするために開口部を有した形状からなる。
【００１９】
また、図２では、２つの部材によって分離型（セパレート型）の定置部材２０を示しており、このセパレート構造によって必然的に開口部が生ずることとなる。
【００２０】
これら図１および図２に示す定置部材２０のいずれにも、不勢バネ等のバイアスとなる係止部材２１が設けられており、この係止部材２１によってカード媒体３０を係止して保持した状態とすることができる。
【００２１】
特に、カード媒体３０の形状が、ＩＳＯ（国際標準化機構）等が制定したＩＳ（国際規格）に基づくもの等であって、その形状の一部に凹形状を有する場合にはその凹形状の部分（凹部２２）と係止部材２１とが係合する（２１、２２）ことによって保持した状態となる。
【００２２】
図１（ａ）および図２（ａ）では、カード媒体３０の最大面積を有するカード面の全てが定置部材２０が設けられた携帯端末１０の側面と重複している状態でカード媒体３０を保持している状態を示す図であって、図１（ｂ）および図２（ｂ）では、カード媒体３０の最大面積を有するカード面の一部のみが定置部材２０が設けられた携帯端末１０の側面と重複している状態でカード媒体３０を保持している状態を示す図である。
【００２３】
すなわち、カード媒体に組み込まれたアンテナコイルのカード面のうち、アンテナコイルが組み込まれた一部分のカード面と携帯端末１０の側面とが重複した状態で保持している。一部分であることから、アンテナコイルが組み込まれた全体が携帯端末１０の側面と重複していない状態を示している。
【００２４】
図１（ａ）および図２（ａ）それぞれに示したカード媒体３０の保持状態を「完全収納保持状態」と称し、この「完全収納保持状態」は、そのカード媒体３０が有しているアンテナコイル３１に電磁気が生じることを防止するほか、そのアンテナコイル３１に電磁気が生じたとしてもＩＣチップ３２から情報を読み取られることが防止された状態を示すものである。
【００２５】
この図１（ａ）に示す「完全収納保持状態」にあるカード媒体３０は、シールド効果を有する材料によって構成されている定置部材２０によりカード媒体３０に組み込まれたＩＣチップ３２から情報が読み取られるのを防止した状態であるほか、携帯端末１０におけるデータ通信の際に発信される電波との干渉等によりそのＩＣチップ３２の情報を正常に読み取ることができない状態である。後者の場合、定置部材２０は絶縁体であるか、導電体であるかを問わない。
【００２６】
また、図１（ｂ）および図２（ｂ）それぞれに示す保持状態を「一部収納保持状態」と称し、この「一部収納保持状態」にあるカード媒体３０は、リーダとの間でカード媒体３０が有するアンテナコイル３１に電磁気を生じさせることによりＩＣチップ３２から情報を正常に読み取ることを可能とした状態を示すものである。
【００２７】
図１（ａ）に示しているカード媒体３０の保持状態（「完全収納保持状態」）から図１（ｂ）に示しているカード媒体３０の保持状態（「一部収納保持状態」）へと保持状態を変更すること、若しくは、図２（ａ）に示しているカード媒体３０の保持状態（「完全収納保持状態」）から図２（ｂ）に示しているカード媒体３０の保持状態（「一部収納保持状態」）へと保持状態を変更することによって、カード媒体３０から情報を読み取ることができない状態からその情報を読み取ることができる状態となる。
【００２８】
このときの保持状態の相互変更方法として、その定置部材２０に設けられた開口部を利用してカード媒体３０をスライドさせるほか、カード媒体移動部材５０（以下、「レバー５０」ともいう）を回動させることによってカード媒体３０をスライドさせる。
【００２９】
このとき、開口部を利用してカード媒体３０をスライドさせたときの例を図４に示し、レバー５０を用いてカード媒体３０をスライドさせたときの例を図５に示している。
【００３０】
図４は、定置部材２０が有する形状の開口部を用いてカード媒体３０をスライドさせた状態を示す図である。
【００３１】
この図４では、定置部材２０が有する形状の開口部を用いてカード媒体３０を、「完全収納保持状態」から「一部収納保持状態」へとスライドさせた状態であって、携帯端末１０が有する機能を操作するための操作表面を上向きにして右手で持ったときにカード媒体３０をスライドさせた状態を示している。
【００３２】
図４（ａ）では、携帯端末１０の操作表面を上向きにしてその操作表面に正対したときにその携帯端末１０の背面に設けられた定置部材２０により収納されたカード媒体３０を左方向に移動させた例を示す図である。
【００３３】
また、図４（ｂ）では、携帯端末１０の操作表面を上向きにしてその操作表面に正対したときにその携帯端末１０の背面に設けられた定置部材２０により収納されたカード媒体３０を上方向に移動させた例を示す図である。
【００３４】
続いて、図５は、レバー５０を用いてカード媒体３０をスライドさせる際の構成を示す図である。
【００３５】
この図５では、「くの字」型の形状からなるレバー５０が定置部材２０と携帯端末１０との間に設けられており、そのレバー５０がその湾曲部分（レバー支点５１）を支点にして回動することによりレバー５０の端部に力が加わり、その端部とカード媒体３０が接合することによりカード媒体３０をスライドさせることなる。これによって、カード媒体３０が「完全収納保持状態」から「一部収納保持状態」へと保持状態を変更することとなる。
【００３６】
カード媒体３０が「完全収納保持状態」にある状態を図５（ａ）に示し、この図５（ａ）の状態からレバー５０を回動させてカード媒体をスライドさせることによりそのカード媒体が「一部収納保持状態」にある状態を図５（ｂ）に示している。
【００３７】
この保持状態の変更後の「一部収納保持状態」では、定置部材２０に設けられた不勢バネ等のバイアスとなる係止部材２１によってカード媒体３０を係止して保持した状態にある。特に、カード媒体３０の形状が、ＩＳＯ（国際標準化機構）等が制定したＩＳ（国際規格）に基づくもの等であって、その形状の一部に凹形状を有する場合にはその凹形状の部分（凹部２２）と係止部材２１とが係合する（２１、２２）ことによって保持した状態となる。
【００３８】
図６および図７は、携帯端末１０の側面に設けられている定置部材２０をビスを用いて携帯端末１０に接合している状態を示す図である。
【００３９】
また、この図６および図７では、定置部材２０とカード媒体との相対位置関係がその携帯端末１０に対して固定された状態にあって、定置部材２０とカード媒体とが一体となってそのビス４０を支点として回動する構成である。このときのビス４０を「支点ビス４０」と称する。
【００４０】
図６は、定置部材２０と携帯端末１０とが接合された支点ビス４０以外に、定置部材２０とカード媒体３０とが一体となって回動する回動量を決定するストッパ部材であるビス（以下、「ストッパビス」という）が設けられている。
【００４１】
図６（ａ）は、カード媒体３０を収納した定置部材２０と携帯端末１０とが「完全収納保持状態」にある場合を示しており、図６（ｂ）は、カード媒体３０を収納した定置部材２０が支点ビス４０を支点として最大回動量、回動させてストッパビスによって定置させた「一部収納保持状態」にある場合を示している。
【００４２】
図７は、支点ビス４０以外に２つのストッパビスを設けた構成を示している。
【００４３】
図７に示された２つのストッパビスによって、カード媒体３０を収納した定置部材の回動幅を決定する。
【００４４】
この２つのストッパビスのうち一方のストッパビス（以下、「第１ストッパビス４１」という）は、図６に示すストッパビスと同一であって「一部収納保持状態」で定置部材２０の状態を保持するものであって、この第１ストッパビス４１によって「一部収納保持状態」でのカード媒体を図７（ｂ）に示している。
【００４５】
また、第１ストッパビス４１とは異なる他のストッパビス（以下、「第２ストッパビス４２」という）は、定置部材２０を「完全収納保持状態」で保持するものであって、この第２ストッパビス４２によって「完全収納保持状態」でのカード媒体を図７（ａ）に示している。
【００４６】
続いて、図８および図９は、２つの定置部材を重畳させて各定置部材それぞれにカード媒体３０を収納することで２枚のカードを同時に定置させた状態を示す図である。
【００４７】
なお、図８および図９では、定置部材２０に設けられた係止部材２１とカード媒体３０に設けられた凹部２２の記載を省略しているが、説明の都合上、省略しているに過ぎないだけであって、図１や図２や図５に示すような係止部材２１および凹部２２が各定置部材（以下に示す「下位定置部材２０−１」および「上位定置部材２０−２」）とカード媒体３０に設けられているものである。
【００４８】
この図８および図９では、２つの定置部材を重畳させた例を示しているが、これに限定されることなく、３つ以上の定置部材を重畳させることも可能である。
【００４９】
図８には、図５に示すようなレバー５０が設けられた定置部材（以下、「下位定置部材２０−１」という）を携帯端末１０の側面に設置し、その下位定置部材２０−１に重畳させて図１に示すような開口部を有する定置部材（以下、「上位定置部材２０−２」という）を設置した例である。
【００５０】
また、図９は、図５に示すようなレバー５０が設けられた下位定置部材２０−１を携帯端末１０の側面に設置し、その下位定置部材２０−１に重畳させて図２に示すようなセパレート型の上位定置部材２０−２を設置した例である。
【００５１】
図８および図９に示す下位定置部材２０−１および上位定置部材２０−２は、絶縁体であるか、導電体であるかを問わない。
【００５２】
まず、図８（ａ）および図９（ａ）は、下位定置部材２０−１に収納されたカード媒体３０が「完全収納保持状態」にある場合を示しており、また、上位定置部材２０−２においてもこの上位定置部材２０−２に収納されたカード媒体３０が「完全収納保持状態」にある場合を示している。
【００５３】
すなわち、下位定置部材２０−１に収納されたカード媒体３０−１および上位定置部材２０−２に収納されたカード媒体３０−２とともに、それらのカード媒体３０−１およびカード媒体３０−２いずれもから情報の読み取りを行うことが防止された状態にある。
【００５４】
次に、図８（ｂ）および図９（ｂ）は、下位定置部材２０−１に収納されたカード媒体３０−１が「完全収納保持状態」にある場合を示しており、それに対して、上位定置部材２０−２に収納されたカード媒体３０−２は「一部収納保持状態」にある場合を示している。
【００５５】
すなわち、上位定置部材２０−２に収納されたカード媒体３０−２から情報の読み取りが可能であって、下位定置部材２０−１に収納されたカード媒体３０−１から情報の読み取りが防止された状態にある。
【００５６】
この図８（ｂ）および図９（ｂ）に示すような構成では、上位定置部材２０−２の開口部を用いてその上位定置部材２０−２に収納されたカード媒体３０を「完全収納保持状態」から「一部収納保持状態」へとスライドさせることによって変更する。
【００５７】
そして、図８（ｃ）および図９（ｃ）は、下位定置部材２０−１に収納されたカード媒体３０が「一部収納保持状態」にある場合を示しており、それに対して、上位定置部材２０−２に収納されたカード媒体は「完全収納保持状態」にある場合を示している。
【００５８】
すなわち、下位定置部材２０−１に収納されたカード媒体３０から情報の読み取りが可能な状態にある。
【００５９】
この図８（ｃ）に示すように下位定置部材２０−１に収納されたカード媒体３０を「完全収納保持状態」から「一部収納保持状態」へと保持状態を変更する方法として、その下位定置部材２０−１に設けられたレバー５０をレバー支点５１を支点として回動させることによって保持状態を変更する。
【００６０】
もちろん、図８（ａ）、図８（ａ）、図８（ｃ）に示す以外にも下位定置部材２０−１および上位定置部材２０−２の両方が「一部収納保持状態」となることも可能である。
【００６１】
以上に示す実施の形態は、本発明の実施の一形態であって、これらの実施例に限定することなく、その要旨を変更しない範囲内で適宜変形して実施できるものである。
【００６２】
例えば、上記に示す実施例では、定置部材２０を携帯端末１０に直接、接合した状態を示しているが、これに限定されることなく、保護ケースや保護シート等の携帯端末１０を保護するためにその少なくとも一部を覆う保護部材にその定置部材２０を設置するような構成であってもよい。
【符号の説明】
【００６３】
１０        携帯端末（移動体通信機器）
２０        定置部材（カードフォルダー）
２０−１    下位定置部材
２０−２    上位定置部材
２１        係止部材
２２        凹部
３０        カード媒体
３１        アンテナコイル
３２        ＩＣチップ（集積回路素子）
４０        支点ビス
４１        第１ストッパビス
４２        第２ストッパビス
５０        カード媒体移動部材（レバー）
５１        レバー支点
【図１】
2013009277.tif 000003
【図２】
2013009277.tif 000004
【図３】
2013009277.tif 000005
【図４】
2013009277.tif 000006
【図５】
2013009277.tif 000007
【図６】
2013009277.tif 000008
【図７】
2013009277.tif 000009
【図８】
2013009277.tif 000010
【図９】
2013009277.tif 000011